(57)【要約】【課題】  出力高周波信号の周波数を予め定めた周波数と一致させる。【解決手段】  受信側装置２及び再送信側装置４が離れて配置され、受信側装置２が同軸ケーブル６を介して所定周波数の入力地上デジタルテレビジョン放送信号を再送信側装置４に伝送する。再送信側装置４の第１及び第２周波数変換器１２、１８及び第１及び第２局部発振器１４、２０が入力地上デジタルテレビジョン放送信号を、前記所定周波数と異なる周波数の出力地上デジタルテレビジョン放送信号に周波数変換し出力する。第１及び第２局部発振器１４、２０に、受信側装置２に設けたルビジウム発振器２４が発振した基準信号が、同軸ケーブル６を介して伝送される。基準信号に基づき第１及び第２局部発振器１４、２０が第１及び第２局部発振信号を発振する。【選択図】        図１
2012134636.tif 000002
【特許請求の範囲】
【請求項１】
受信手段を含む受信側と、送信手段を含む送信側とが伝送路を介して離れて位置し、前記受信側から前記伝送路を介して所定周波数の入力高周波信号が前記送信側に伝送され、前記送信側において周波数変換手段によって前記入力高周波信号を、前記所定周波数と異なる周波数の出力高周波信号に周波数変換して前記送信手段より出力する再送信装置において、
前記周波数変換手段は、局部発振手段が発振する局部発振信号を使用して周波数変換を行い、前記局部発振手段は、基準信号に基づいて前記局部発振信号を発振し、前記基準信号は、前記送信側以外に設けられた高精度安定周波数発振手段が発振して、前記送信側に伝送される再送信装置。
【請求項２】
請求項１記載の再送信装置において、前記基準信号は、前記伝送路を介して前記送信側に前記受信側から伝送される再送信装置。
【請求項３】
請求項１または２記載の再送信装置において、前記送信側において、前記基準信号のレベルを検出手段によって検出し、そのレベルが予め定めたレベルよりも小さいとき、前記送信側に設けた基準信号発生手段が発生する基準信号を前記局部発振手段に供給する再送信装置。
【発明の詳細な説明】
【技術分野】
【０００１】
本発明は、例えばギャップフィラーのような再送信装置に関し、特に入力周波数と出力周波数とが異なるものに関する。
【背景技術】
【０００２】
従来、上記のような再送信装置としては、例えば特許文献１に開示されているようなものがある。特許文献１の技術では、親局から送信されている電波をアンテナで受信し、この受信信号を周波数変換器によって予め定めた他の周波数の送信信号に変換して送信する。周波数変換器は、周波数変換に局部発振信号を使用する。この局部発振信号は、再送信装置に内蔵される基準発振器が発振する基準信号を基に局部発振器によって発振される。
【先行技術文献】
【特許文献】
【０００３】
【特許文献１】特開２００２−１０１０３２号公報
【発明の概要】
【発明が解決しようとする課題】
【０００４】
特許文献１の技術（特許文献の図３）では、局部発振信号を発振するために、再送信装置に内蔵される基準発振器からの基準信号を使用している。そのため、局部発振信号の周波数が必要とされる周波数とずれて、送信信号の周波数が予め定めた周波数からズレが生じることがあった。このとき、周波数変換手段に入力される周波数と、周波数変換手段から出力される周波数が異なるため、同期をとるようにしなければならなかった。
【０００５】
本発明は、所望の周波数に周波数変換して出力することが可能な再送信装置を提供することを目的とする。
【課題を解決するための手段】
【０００６】
本発明の一態様の再送信装置では、受信手段を有する受信側と、送信手段を有する送信側とが、伝送路を介して離れて位置し、前記受信側から前記伝送路を介して所定周波数の入力高周波信号が前記送信側に伝送される。前記送信側において周波数変換手段によって前記入力高周波信号を、前記所定周波数と異なる周波数の出力高周波信号に周波数変換して送信手段によって出力する。前記周波数変換手段は、局部発振手段が発振する局部発振信号を使用して周波数変換を行う。前記局部発振手段は、基準信号に基づいて前記局部発振信号を発振する。前記基準信号は、前記送信側以外に設けられた高精度安定周波数発振手段が発振して、前記送信側に伝送される。
【０００７】
このように構成した再送信装置では、高精度の安定周波数の基準信号が送信側に伝送され、この基準信号に基づいて局部発振信号が発振される。従って、出力高周波信号の周波数は、予め定めた周波数となり、周波数のずれが生じることはない。
【０００８】
前記基準信号を、前記伝送路を介して前記受信側から前記送信側に伝送路を介して伝送することができる。このように構成すると、入力高周波信号伝送用の伝送路を利用して、基準信号を伝送できる。
【０００９】
前記受信側において、前記基準信号のレベルを検出手段によって検出し、そのレベルが予め定めたレベルよりも小さいとき、前記受信側に設けた基準信号発生手段が発生する基準信号を前記局部発振手段に供給することもできる。
【００１０】
このように構成すると、伝送される基準信号の品質に劣化が生じた場合でも、出力高周波信号の出力を継続することができる。
【発明の効果】
【００１１】
以上のように、本発明によれば、高精度安定周波数発振手段が発生する高精度で安定周波数の基準信号を送信側に伝送し、その基準信号を基に発振させた局部発振信号に基づいて周波数変換を行っているので、出力高周波信号の周波数を予め定めた周波数と一致させることができる。
【図面の簡単な説明】
【００１２】
【図１】本発明の一実施形態の再送信装置のブロック図である。
【図２】図１の再送信装置の受信側装置及び再送信側装置の配置を示す図である。
【図３】図１の再送信装置の別の使用例を示す図である。
【発明を実施するための形態】
【００１３】
本発明の一実施形態の再送信装置は、図２に示すように、受信側装置２と、複数台、例えば３台の再送信側装置４とを有している。再送信側装置４は、それぞれ異なるサービスエリアに向けて電波を再送信するように、離れた異なる位置に設けられている。これら再送信側装置４のいずれとも離れた位置に、受信側装置２が配置されている。
【００１４】
受信側装置２では、受信手段、例えば受信アンテナ（図示せず）によって受信した入力高周波信号、例えば特定のチャンネルの入力地上デジタルテレビジョン放送信号（例えば４７０乃至７７０ＭＨｚ）を、例えば増幅器（図示せず）で増幅し、伝送路、例えば同軸ケーブル６によって各送信側装置４に伝送する。なお、同軸ケーブル６中に分配器を介在させて、その分配出力を各送信側装置４に伝送している。なお、分配器７に代えて分岐器を使用することもできる。
【００１５】
各再送信側装置４では、図１に示すように、同軸ケーブル６によって伝送された入力地上デジタルテレビジョン放送信号が増幅器１０によって増幅され、周波数変換手段の第１周波数変換器１２に供給される。第１周波数変換器１２には、局部発振手段の第１局部発振器１４からの第１局部発振信号が供給されている。第１周波数変換器１２は、第１局部発振信号を使用して、特定チャンネルの地上デジタル放送信号を中間周波信号に周波数変換する。
【００１６】
中間周波信号は、増幅器１６によって増幅され、周波数変換手段の第２周波数変換器１８に供給される。第２周波数変換器１８には、局部発振手段の第２局部発振器２０から第２局部発振信号が供給されている。第２周波数変換器１８は、第２局部発振信号を使用して、中間周波信号を、入力高周波信号と異なる周波数の出力高周波信号、例えば入力地上デジタルテレビジョン放送信号と異なる周波数の出力地上デジタルテレビジョン放送信号に周波数変換する。第２周波数変換器１８から出力された出力地上デジタルテレビジョン放送信号は、増幅器２２によって増幅され、図１に示す送信アンテナ２３から所定のサービスエリアに向けて送信される。
【００１７】
第１局部発振器１４及び第２局部発振器２０は、例えばＰＬＬを備えたもので、第１局部発振信号及び第２局部発振信号を発振するために、基準信号を必要とする。この基準信号としては、受信側装置２に設けられた高精度安定周波数発振手段、例えばルビジウム発振器２４の発振信号（例えば１０MHｚ）が使用されている。このルビジウム発振器２４の発振信号は、受信側装置２に設けられた混合器２５によって、入力地上デジタルテレビジョン放送信号と混合され、同軸ケーブル６を介して再送信側装置４に伝送される。
【００１８】
発振信号と入力地上デジタルテレビジョン放送信号の混合信号は、再送信側装置４では、１分岐器２６によって分岐され、1分岐器２６の出力からフィルタ２８によって入力地上デジタルテレビジョン放送信号が抽出されて、増幅器１０に供給される。
【００１９】
１分岐器２６の分岐信号は、フィルタ３０に供給され、ここで発振信号が抽出される。抽出された発振信号は、増幅器３２によって増幅され、第１局部発振器１４、第２局部発振器２０に供給される。この発振信号は、高精度で安定な周波数のものであるので、第１及び第２局部発振信号も高精度で安定なものとなる。従って、出力地上デジタルテレビジョン放送信号の周波数も高精度で安定なものとなる。これによって、入力チャンネルと出力チャンネルとが異なっても同期を取ることができる。また、複数の送信側装置４に、１台の受信側装置２に設けたルビジウム発振器２４から発振信号を供給することができるので、コストを低減することもできる。
【００２０】
なんらかの原因でルビジウム発振器２４からの発振信号のレベルが低下すると、再送信側装置４から出力地上デジタルテレビジョン放送信号を出力することが不能となる。そこで、増幅器３２の出力側に１分岐器３４を設け、その１分岐器３４の出力は、第１及び第２局部発振器１４、２０に供給し、１分岐器３４の分岐出力を検波器３６によって検波し、その検波出力（発振信号のレベル）が所定値以下の場合、切換スイッチ３８を切り換えて、再送信側装置４内に設けてある内部基準信号発振器４０から内部基準信号を第１及び第２局部発振器１４、２０に供給するように構成してある。
【００２１】
また、受信側装置２と再送信側装置４とが比較的接近して配置される場合には、受信側装置２のルビジウム発振器２４の発振信号を直接に再送信側装置４に伝送することができるようにも、この再送信装置は、構成されている。そのため、再送信側装置４内には、ルビジウム発振器２４から直接に供給された発振信号を増幅する増幅器４２が設けられている。また、この増幅器４２と、同軸ケーブル６を伝送された発振信号を増幅する増幅器３２とのうちいずれか一方を選択して、１分岐器３４に供給する切換スイッチ４４が設けられている。
【００２２】
また、図３に示すようにヘッドエンド４６や同軸ケーブル４７中に中継用の増幅手段、例えば分岐増幅器４８、４８を備える既存の共同受信システムにおけるヘッドエンド４６を受信側装置として使用する場合、分岐増幅器４８、４８は、下り信号が例えば７０ＭＨｚ以上の周波数の信号しか増幅しない。そのため、図１に示すのと同様にヘッドエンド４６側から同軸ケーブル４７を介してルビジウム発振器からの発振信号を伝送しても、発振信号は、その周波数が例えば１０ＭＨｚであるので、分岐増幅器４８、４８によって増幅されず、再送信側装置４には伝送されない。そのような場合には、ルビジウム発振器２４を再送信側装置４の近傍に配置し、ルビジウム発振器２４の発振信号を上述したのと同様に直接に再送信側装置４の増幅器４２に供給し、切換スイッチ４４を切り換えて、増幅器４２の出力信号が、１分岐器３４に供給されるようにする。なお、ルビジウム発振器２４を、ヘッドエンド４６内に配置し、ルビジウム発振器２４の発振信号を伝送路を介して伝送し、再送信側装置４の増幅器４２に供給することもできる。
【００２３】
上記の実施形態では、周波数変換手段は、第１及び第２の周波数変換器１２、１８を使用して２段階の周波数変換を行ったが、出力地上デジタルテレビジョン放送信号の周波数によっては、１台の周波数変換器のみを使用した１段階の周波数変換を行うことも可能である。上記の実施形態では、１波の地上デジタルテレビジョン放送信号を再送信したが、これに限らず、複数波の地上デジタルテレビジョン放送信号を再送信することもできる。
また、上記の実施形態では、地上デジタルテレビジョン放送信号を再送信したが、これに限らず、共同受信施設における自主放送信号を再送信することもできる。また、衛星放送または衛星通信受信アンテナで受信して、このアンテナに付属するコンバータで周波数変換した衛星放送中間周波信号や衛星通信中間周波信号を再送信することもできる。
【符号の説明】
【００２４】
２  受信側装置
４  再送信側装置
６  同軸ケーブル（伝送路）
１２  第１周波数変換器（周波数変換手段）
１４  第１局部発振器（局部発振手段）
１８  第２周波数変換器（周波数変換手段）
２０  第２局部発振器（局部発振手段）
２４  ルビジウム発振器（高精度安定周波数発振手段）
【図１】
2012134636.tif 000003
【図２】
2012134636.tif 000004
【図３】
2012134636.tif 000005